(57)【要約】【課題】地震時にサッシ枠よってフレーム構造体が破損することを抑制可能なサッシユニット及びフレーム構造体を提供する。【解決手段】本発明に係るサッシユニットは、縦方向に延在する縦サッシ枠部と、前記縦方向に略直交する横方向に延在する横サッシ枠部と、を備えるサッシ枠と、前記縦方向に沿って延在し、前記縦サッシ枠部が取り付けられている縦フレーム部と、前記横方向に沿って延在し、前記縦フレーム部を支持する横フレーム部と、を備え、前記縦フレーム部は、前記サッシ枠の面内変形時に、前記横フレーム部に対して前記縦方向に移動可能である。【選択図】図４
2019173387.tif 000002
【特許請求の範囲】
【請求項１】
縦方向に延在する縦サッシ枠部と、前記縦方向に略直交する横方向に延在する横サッシ枠部と、を備えるサッシ枠と、
前記縦方向に沿って延在し、前記縦サッシ枠部が取り付けられている縦フレーム部と、
前記横方向に沿って延在し、前記縦フレーム部を支持する横フレーム部と、を備え、
前記縦フレーム部は、前記サッシ枠の面内変形時に、前記横フレーム部に対して前記縦方向に移動可能である、サッシユニット。
【請求項２】
前記横サッシ枠部は、前記横フレーム部に支持されていると共に、前記サッシ枠の面内変形時に、前記横フレーム部に対して前記縦方向に移動可能である、請求項１に記載のサッシユニット。
【請求項３】
前記縦サッシ枠部は、前記サッシ枠の面内変形時に前記縦フレーム部に対して前記縦方向に移動可能に、前記縦フレーム部に対して取り付けられている、請求項１又は２に記載のサッシユニット。
【請求項４】
サッシ枠を建物の構造躯体に取り付け可能とするフレーム構造体であって、
前記サッシ枠の縦サッシ枠部が延在する縦方向に沿うようにして前記縦サッシ枠部に取り付け可能な縦フレーム部と、
前記縦方向に略直交する横方向に沿って延在する横フレーム部と、を備え、
前記縦フレーム部は、前記横フレーム部に対して前記縦方向に移動可能に、前記横フレーム部に支持されている、フレーム構造体。
【発明の詳細な説明】
【技術分野】
【０００１】
本発明はサッシユニット及びフレーム構造体に関する。
【背景技術】
【０００２】
従来から、サッシ枠を含むサッシを建物の構造躯体に取り付けるために、フレーム構造体が使用されている。特許文献１には、建物の構造躯体に取り付けられるフレーム構造体としての第１の枠（特許文献１では「サッシ枠」と表記）と、この第１の枠に取り付けられるサッシ枠としての第２の枠（特許文献１では「面材支持枠」と表記）と、を備えるサッシユニットが開示されている。特許文献１に記載のサッシユニットでは、第１の枠に対する第２の枠の室内外方向に関する取付可能位置が、少なくとも２箇所以上ある。
【先行技術文献】
【特許文献】
【０００３】
【特許文献１】特開２００５−２３５７５号公報
【発明の概要】
【発明が解決しようとする課題】
【０００４】
例えば地震時などにおいて、建物の構造躯体が変形すると、この構造躯体に取り付けられるフレーム構造体、及び、このフレーム構造体に取り付けられるサッシ枠、も面内変形する。しかしながら、フレーム構造体に取り付けられているサッシ枠が、フレーム構造体の面内変形を阻害するように作用する場合がある。そのため、例えば剛性の高いサッシ枠を利用する場合、フレーム構造体が、サッシ枠によって地震時に破損してしまうおそれがある。特許文献１に記載のサッシユニットも上記問題を有している。
【０００５】
そこで本発明は、地震時にサッシ枠よってフレーム構造体が破損することを抑制可能なサッシユニット及びフレーム構造体を提供することを目的とする。
【課題を解決するための手段】
【０００６】
本発明の第１の態様としてのサッシユニットは、縦方向に延在する縦サッシ枠部と、前記縦方向に略直交する横方向に延在する横サッシ枠部と、を備えるサッシ枠と、前記縦方向に沿って延在し、前記縦サッシ枠部が取り付けられている縦フレーム部と、前記横方向に沿って延在し、前記縦フレーム部を支持する横フレーム部と、を備え、前記縦フレーム部は、前記サッシ枠の面内変形時に、前記横フレーム部に対して前記縦方向に移動可能である。
【０００７】
本発明の１つの実施形態として、前記横サッシ枠部は、前記横フレーム部に支持されていると共に、前記サッシ枠の面内変形時に、前記横フレーム部に対して前記縦方向に移動可能である。
【０００８】
本発明の１つの実施形態として、前記縦サッシ枠部は、前記サッシ枠の面内変形時に前記縦フレーム部に対して前記縦方向に移動可能に、前記縦フレーム部に対して取り付けられている。
【０００９】
本発明の第２の態様としてのフレーム構造体は、サッシ枠を建物の構造躯体に取り付け可能とするフレーム構造体であって、前記サッシ枠の縦サッシ枠部が延在する縦方向に沿うようにして前記縦サッシ枠部に取り付け可能な縦フレーム部と、前記縦方向に略直交する横方向に沿って延在する横フレーム部と、を備え、前記縦フレーム部は、前記横フレーム部に対して前記縦方向に移動可能に、前記横フレーム部に支持されている。
【発明の効果】
【００１０】
本発明によれば、地震時にサッシ枠によってフレーム構造体が破損することを抑制可能なサッシユニット及びフレーム構造体を提供することができる。
【図面の簡単な説明】
【００１１】
【図１】本発明の一実施形態としてのサッシユニット、を備える開口部構造を示す図である。
【図２】図１に示すサッシユニットの分解斜視図である。
【図３】図２に示すサッシユニットのうち、本発明の一実施形態としてのフレーム構造体を示す斜視図である。
【図４】図２に示すサッシユニットの第１縦フレーム部の鉛直方向下側の端部近傍を示す図である。
【図５】図１に示す第１縦フレーム部の変形例を示す図である。
【図６】図２に示す横サッシ枠部及び横フレーム部の変形例を示す図である。
【図７】図２に示す横サッシ枠部及び横フレーム部の変形例を示す図である。
【図８】図２に示す横サッシ枠部及び横フレーム部の変形例を示す図である。
【図９】図２に示す縦サッシ枠部及び第１縦フレーム部の変形例を示す図である。
【図１０】比較例としてのサッシユニットを示す図である。
【発明を実施するための形態】
【００１２】
以下、本発明に係るサッシユニット及びフレーム構造体について、図１〜図１０を参照して説明する。各図において共通する部材・部位には同一の符号を付している。
【００１３】
図１は、本発明の一実施形態としてのサッシユニット２００、を備える開口部構造を示す図である。図１は、開口部構造を含む外壁部１の水平断面を示している。図２は、サッシユニット２００の分解斜視図である。図３は、サッシユニット２００のうち、本発明の一実施形態としてのフレーム構造体１００を示す斜視図である。まず、図１に示す開口部構造を備える建物の概略について説明する。
【００１４】
本実施形態の建物は、例えば鉄骨造の軸組みを有する２階建ての住宅であり、鉄筋コンクリート造の基礎と、柱や梁などの軸組部材で構成された軸組架構を有し、基礎に固定された上部構造体と、で構成される。なお、軸組架構を構成する軸組部材は、予め規格化（標準化）されたものであり、予め工場にて製造されたのち建築現場に搬入されて組み立てられる。
【００１５】
上部構造体の軸組架構は、複数の柱及び複数の梁などから構成されている。軸組架構の外周部には、外周壁を構成する外装材等が配置される。また、軸組架構の層間部には、床部を構成する床スラブ材等が配置される。更に、軸組架構の上部には、陸屋根を構成する屋根床スラブ材等が配置される。
【００１６】
建物の外周壁は、例えば、表面側に防水層としての塗膜が形成された軽量気泡コンクリート（ＡＬＣ）からなるパネル状の外装材を連接されて構成された外部仕上げ層と、例えば、フェノールフォーム等の発泡樹脂系のパネル状の断熱材を外装仕上げ層の内面に沿って連接されて構成された断熱層と、石膏ボートと石膏ボード表面に貼設された壁クロス等の仕上げ材とで構成された内部仕上げ層と、を備えたものとすることができるが、この構成に限定されるものではない。外周壁は、少なくとも所定の防耐火性能及び防水性能を有している。なお、本実施形態の建物は、所謂「外断熱構造」を備えており、軸組架構を構成する柱及び梁に対して、外周壁の厚み方向における屋外側に、断熱材が配置されている。
【００１７】
建物の床部は、床スラブ材を含む。床スラブ材は、軸組架構の梁間に架設され、梁により直接的又は間接的に支持される。床スラブ材としては、例えば、ＡＬＣパネルを用いることできるが、折板、押出成形セメント板、木質パネル材などの別の部材を用いてもよい。床部は、床スラブ材に加えて、例えば、床スラブ材に対して直接的又は間接的に取り付けられる、下階としての１階の天井面を構成する天井内装材や、床スラブ材上に積層された、上階としての２階の床面を構成するフローリング等の床内装材などを含むものであってもよい。
【００１８】
なお、陸屋根を構成する屋根床スラブ材についても、ＡＬＣパネルを用いることができるが、ＡＬＣパネルに限られるものではない。また、屋根床スラブ材は、例えば塩化ビニル樹脂から形成されている防水シート等により覆われることにより、防水処理が施されている。また、建物の屋根は、陸屋根に限らず、スレート等の屋根外装材を用いた勾配屋根としてもよい。
【００１９】
次に、図１〜図３を参照して、開口部構造について説明する。
【００２０】
図１に示すように、外壁部１には開口部２が形成されている。開口部２は、外壁部１の開口部２に面する周囲端面により区画されている。以下、外壁部１の厚み方向Ａの屋外側を単に「屋外側」と記載し、外壁部１の厚み方向Ａの屋内側を単に「屋内側」と記載する場合がある。図１では、開口部構造に対して上側が屋外側であり、開口部構造に対して下側が屋内側である。
【００２１】
外壁部１とは、建物の屋内空間と屋外空間とを区画する壁であり、上述した外周壁は、外壁部１の一態様である。
【００２２】
より具体的に、本実施形態の外壁部１は、屋外空間に面するパネル状の外装材１ａと、外壁部１の厚み方向Ａにおいて外装材１ａの屋内側に位置するパネル状の断熱材１ｂと、厚み方向Ａにおいて断熱材１ｂの屋内側に位置し、石膏ボートと石膏ボード表面に貼設された壁クロス等の仕上げ材とで構成された内装材１ｃと、を備えている。また、本実施形態の断熱材１ｂは、軸組架構を構成する柱及び梁に対して、外壁部１の厚み方向Ａで屋外側に位置している。そして、本実施形態の外壁部１の気密ラインは、断熱ラインの屋内側に形成されている。
【００２３】
開口部２は、外壁部１に形成されている、窓や出入り口などの開口である。図１に示す開口部構造では、開口部２として窓を示しているが、例えば、屋内空間と屋外空間とを行き来可能な出入り口であってもよい。
【００２４】
図１に示す開口部構造は、開口部２が形成されている外壁部１と、サッシ枠３と、第１縦フレーム部４と、横フレーム部５（図２、図３参照）と、第２縦フレーム部６と、建具１０と、を備えている。
【００２５】
なお、本実施形態では、図３に示すように、第１縦フレーム部４、横フレーム部５、及び、第２縦フレーム部６、により、サッシ枠３を建物の構造躯体に取り付け可能とするフレーム構造体１００が構成されている。また、本実施形態では、図２に示すように、フレーム構造体１００及びサッシ枠３により、サッシユニット２００が構成されている。図２では、説明の便宜上、フレーム構造体１００とサッシ枠３とを別々に示している。
【００２６】
サッシ枠３は、開口部２の周囲を区画する、外壁部１の周囲端面に沿って配置されている。本実施形態の開口部２には、開閉可能な建具１０が取り付けられている。したがって、本実施形態のサッシ枠３は、建具１０の周囲に位置しており、建具１０を開閉可能に保持している。なお、図１に示すように、サッシ枠３の屋内側には、木製の額縁等の内装枠９１が設けられている。
【００２７】
なお、本実施形態の建具１０は、二重にしたガラス板１０ａと、この二重にしたガラス板１０ａの枠材としての框１０ｂと、で構成されているが、この構成に限られるものではない。また、本実施形態では、開口部２に建具１０が取り付けられている例を示しているが、この構成に限らず、例えば、はめ殺し窓を設けた構成としてもよい。
【００２８】
図２に示すように、本実施形態のサッシ枠３は、開口部２の水平方向両側に位置し、縦方向としての鉛直方向に延在する２つの縦サッシ枠部１１と、縦方向に直交する横方向としての水平方向に延在し、上述の２つの縦サッシ枠部１１の間に架設されている２つの横サッシ枠部１２と、により構成されている。図１では、サッシ枠３のうち、２つの縦サッシ枠部１１が示されている。
【００２９】
縦サッシ枠部１１は、アルミニウムなどの金属製の本体部１１ａと、この本体部１１ａに対してねじやビス等で締結されている、又は、嵌合されて一体化されている、塩化ビニルなどの樹脂製の断熱部１１ｂと、本体部１１ａから外壁部１の周囲端面側に向かって突出する突出板部１１ｃと、を備えている。なお、断熱部１１ｂは、本体部１１ａよりも断熱性能が高い。また、断熱部１１ｂは、本体部１１ａよりも屋内側に位置している。
【００３０】
横サッシ枠部１２は、アルミニウムなどの金属製の本体部１２ａと、本体部１２ａから外壁部１の周囲端面側に向かって突出する突出板部１２ｃと、を備えている。なお、横サッシ枠部１２が、本体部１２ａに対してねじやビス等で締結されている、又は、嵌合されて一体化されている、塩化ビニルなどの樹脂製の断熱部を備える構成としてもよい。
【００３１】
図２に示すように、本実施形態の縦サッシ枠部１１及び横サッシ枠部１２は、縦サッシ枠部１１が横サッシ枠部１２に勝つようにして接続されている。換言すれば、各横サッシ枠部１２は、横サッシ枠部１２の長手方向において、２つの縦サッシ枠部１１により両側を挟まれている状態で、縦サッシ枠部１１と接続されている。
【００３２】
図１〜図３に示すように、第１縦フレーム部４は、縦方向としての鉛直方向に沿って延在している。図２に示すように、第１縦フレーム部４には、上述の縦サッシ枠部１１が取り付けられる。
【００３３】
より具体的に、本実施形態の第１縦フレーム部４には、上述のサッシ枠３を取付可能な取付面４ａが設けられており、この取付面４ａを介して、上述のサッシ枠３が取り付けられている。図１〜図３に示すように、第１縦フレーム部４は、水平方向に離間して２つ設けられており、これら２つの第１縦フレーム部４の間に、サッシ枠３の一部が嵌め込まれる。より具体的に、サッシ枠３の２つの縦サッシ枠部１１の本体部１１ａ及び断熱部１１ｂと、サッシ枠３の２つの横サッシ枠部１２の本体部１２ａと、が２つの第１縦フレーム部４の間に厚み方向Ａの屋外側から屋内側に向かって嵌め込まれている。そして、この嵌め込みの完了は、図２に示すように、サッシ枠３の縦サッシ枠部１１の突出板部１１ｃが、第１縦フレーム部４の取付面４ａに当接する位置である。また、この嵌め込みの完了は、図２に示すように、サッシ枠３の横サッシ枠部１２の突出板部１２ｃが、後述する横フレーム部５の取付面５ａに当接する位置でもある（図２参照）。このように、本実施形態のサッシ枠３は、第１縦フレーム部４及び横フレーム部５に対して位置決めされている。
【００３４】
また、上述したように、サッシ枠３は、第１縦フレーム部４の取付面４ａを介して、第１縦フレーム部４に取付可能である。本実施形態において、第１縦フレーム部４の取付面４ａは、第１縦フレーム部４のうち、横フレーム部５の幅方向Ｂ（図１の開口部構造では外壁部１の厚み方向Ａと同じ方向）において、第２縦フレーム部６が位置する側と反対側の面（図１では屋外側の面）により構成されている。また、取付面４ａには、複数の挿通孔が形成されている。そして、サッシ枠３の縦サッシ枠部１１の突出板部１１ｃにおいても、複数の挿通孔が形成されている。第１縦フレーム部４の取付面４ａの挿通孔と、縦サッシ枠部１１の突出板部１１ｃの挿通孔と、を共に挿通するねじやビス等の締結部材８ｂを用いることにより、第１縦フレーム部４に対して、サッシ枠３の縦サッシ枠部１１を、直接的に取り付けることができる。このように、本実施形態の第１縦フレーム部４には、ねじやビス等の締結部材８ｂにより、縦サッシ枠部１１が固定されている。
【００３５】
なお、本実施形態の第１縦フレーム部４は、コの字形状の断面外形を有する、鋼材から構成される長尺部材であり、底板部２１と、この底板部２１の両端から起立する第１側板部２２及び第２側板部２３と、を備えている。そして、本実施形態の第１縦フレーム部４は、コの字形状の長尺部材の開口が開口部２側に向くように鉛直方向に延在しており、屋外側に位置する第１側板部２２のうち屋外側の面により、上述の取付面４ａが構成されている。また、底板部２１は、外壁部１の外装材１ａの開口部２側の端面に当接した状態とされている。
【００３６】
更に、図３に示すように、本実施形態の第１縦フレーム部４は、鉛直方向において、複数の横フレーム部５に挟まれる位置に配置されている。具体的に、本実施形態の第１縦フレーム部４の底板部２１及び第２側板部２３は、鉛直方向において異なる位置に配置されている２つの横フレーム部５の間に挟まれて配置されている。
【００３７】
より具体的には、図２、図３に示すように、本実施形態の第１縦フレーム部４の第１側板部２２は、長手方向両端において、底板部２１及び第２側板部２３よりも突出して形成されている突出部２２ａを有する。そして、第１縦フレーム部４の底板部２１及び第２側板部２３を、第１側板部２２の突出部２２ａが横フレーム部５の取付面５ａに当接するまで、２つの横フレーム部５の間に嵌め込む。このようにすることで、第１縦フレーム部４の底板部２１及び第２側板部２３を、２つの横フレーム部５の間に配置させることができる。第１縦フレーム部４と横フレーム部５との取り付け構成の詳細は後述する。
【００３８】
横フレーム部５は、横方向としての水平方向に沿って延在している。また、横フレーム部５は、第１縦フレーム部４を支持している。本実施形態の横フレーム部５は、鉛直方向の異なる位置に複数設けられている。具体的に、本実施形態では、鉛直方向の異なる位置に２つの横フレーム部５が設けられている。
【００３９】
具体的に、本実施形態の横フレーム部５は、水平方向に沿って延在する長尺部材により構成されている。また、本実施形態の横フレーム部５は、鋼材により構成されている。そして、本実施形態の横フレーム部５は、第２縦フレーム部６に取り付けられる第１鉛直板部３１と、この第１鉛直板部３１の上端から水平方向に突出する第１水平板部３２と、この第１水平板部３２の先端から鉛直方向の下方に向かって延在する第２鉛直板部３３と、この第２鉛直板部３３の下端から第１鉛直板部３１側に向かって水平方向に延在する先端板部３４と、第１鉛直板部３１の下端から第１水平板部３２と同方向に向かって突出する第２水平板部３５と、この第２水平板部３５の先端から鉛直方向の上方に向かって延在する基端板部３６と、を備えている。
【００４０】
本実施形態の２つの横フレーム部５は、いずれも同形状を有してする。但し、２つの横フレーム部５は、上下対称になるように配置されており、第１水平板部３２同士が、鉛直方向に対向するように配置されている。したがって、上述した本実施形態の第１縦フレーム部４における底板部２１及び第２側板部２３は、図２、図３に示すように、２つの横フレーム部５の第１水平板部３２の間に挟まれて配置されている。また、詳細は後述するが、第１縦フレーム部４は、横フレーム部５により支持されている。
【００４１】
第１鉛直板部３１は、後述する第２縦フレーム部６に略平行に延在しており、ねじやビス等の締結部材を用いて締結することで、第２縦フレーム部６に取り付けられる。但し、第１鉛直板部３１を、第２縦フレーム部６に対して溶接等することにより取り付けてもよい。
【００４２】
第２鉛直板部３３は、横フレーム部５の取付面５ａを構成する。つまり、上述したサッシ枠３の横サッシ枠部１２の突出板部１２ｃと、横フレーム部５の取付面５ａと、をビス等の締結部材８ｄを用いて締結することで、サッシ枠３を、横フレーム部５に取り付けることができる。このように、サッシ枠３を、直接的に横フレーム部５に対して、取り付けることができる。
【００４３】
より具体的に、横サッシ枠部１２の突出板部１２ｃには複数の挿通孔が形成されている。また、横フレーム部５の取付面５ａを構成する第２鉛直板部３３においても複数の挿通孔が形成されている。したがって、ねじやビス等の締結部材８ｄを、突出板部１２ｃの挿通孔と、第２鉛直板部３３の挿通孔と、を通るように挿通し、締結することで、突出板部１２ｃを取付面５ａに締結することができる。このようにして、サッシ枠３を、横フレーム部５に対して直接的に取り付けることができる。
【００４４】
また、詳細は後述するが、縦サッシ枠部１１の第１側板部２２の鉛直方向上側に位置する突出部２２ａは、ねじやビス等の締結部材８ａにより、上側に位置する横フレーム部５の取付面５ａに締結されている。これに対して、縦サッシ枠部１１の第１側板部２２の鉛直方向下側に位置する突出部２２ａは、下側に位置する横フレーム部５の取付面５ａに締結されていない。この取付構成の詳細は後述する。
【００４５】
本実施形態の第２縦フレーム部６は、上述の横フレーム部５とは別体で構成されており、横フレーム部５に対して、ビスやネジ等の締結部材を用いて締結されることにより、取り付けられているが、この構成に限らず、横フレーム部５と一体で構成されている第２縦フレーム部としてもよい。
【００４６】
第２縦フレーム部６は、複数の横フレーム部５に対して、横フレーム部５の幅方向Ｂ（図１の開口部構造では厚み方向Ａと同じ方向）の一方側の位置に配置されている。具体的に、本実施形態の第２縦フレーム部６は、横フレーム部５の屋内側に配置されている。
【００４７】
また、本実施形態では、２つの第２縦フレーム部６が設けられている。本実施形態の各第２縦フレーム部６は、鉛直方向に延在する長尺部材により構成されている。更に、本実施形態の第２縦フレーム部６は、鋼材により構成されている。そして、第２縦フレーム部６は、横フレーム部５側に面する正面板部４１と、この正面板部４１の一端から背面側に向かって延在する側面板部４２と、この側面板部４２の後端から、正面板部４１と平行するように突出する後端板部４３と、を備えている。
【００４８】
本実施形態の２つの第２縦フレーム部６は、側面板部４２が、正面板部４１に対して開口部２側に配置されるように、左右対称に配置されている。
【００４９】
上述の横フレーム部５は、２つの第２縦フレーム部６の正面板部４１に跨るように、横フレーム部５の第１鉛直板部３１を取り付けることにより、２つの第２縦フレーム部６に対して取り付けられている。
【００５０】
また、第２縦フレーム部６は、横フレーム部５よりも鉛直方向の上方及び下方にそれぞれ突出し、建物の構造躯体に取り付け可能な躯体取付部を備えている。具体的には、図３に示すように、本実施形態の第２縦フレーム部６は、横フレーム部５よりも鉛直方向の上方に突出し、建物の構造躯体としての鉄骨梁に取り付け可能な第１躯体取付部６ａを備える。また、図３に示すように、本実施形態の第２縦フレーム部６は、横フレーム部５よりも鉛直方向の下方に突出し、建物の構造躯体としての鉄骨梁に取り付け可能な第２躯体取付部６ｂを備える。このように、本実施形態の第２縦フレーム部６は、上下梁に対して、ボルト及びナット、ビス、ねじ等の締結部材を用いて締結することで、取付可能である。
【００５１】
ここで、図１〜図３に示すように、第１縦フレーム部４と第２縦フレーム部６とは、横フレーム部５の幅方向Ｂ（図１の開口部構造では外壁部１の厚み方向Ａと同じ方向）において離間した位置に配置されている。このような構成とすれば、第１縦フレーム部４と第２縦フレーム部６とが横フレーム部５の幅方向Ｂにおいて離間していない構成とする場合と比較して、断熱ラインを形成し易い。つまり、横フレーム部５の幅方向Ｂにおける、第１縦フレーム部４と第２縦フレーム部６との間を、断熱材の配置位置として利用することができ、第１縦フレーム部４及び第２縦フレーム部６を設けても、横フレーム部５の延在方向に沿った連続した断熱ラインを、形成し易くすることができる。
【００５２】
なお、図１に示す開口部構造では、横フレーム部５の幅方向Ｂにおける、第１縦フレーム部４と第２縦フレーム部６の間の位置に、外壁部１の断熱材１ｂとは別の断熱材９を配置し、外壁部１の断熱材１ｂと、開口部２に設けられ断熱性を有する建具１０と、の間で断熱ラインが分断されないようにしている。このように、第１縦フレーム部４と第２縦フレーム部６とが、横フレーム部５の幅方向Ｂにおいて離間した位置に配置される開口部構造とすることで、断熱ラインを形成し易くすることができる。
【００５３】
次に、第１縦フレーム部４と横フレーム部５との取り付け構成について説明する。
【００５４】
図４は、第１縦フレーム部４の鉛直方向下側の端部近傍を示す図である。図４に二点鎖線で示すように、第１縦フレーム部４の下端部は、特に地震等が発生していない通常時において、横フレーム部５に支持されている状態である。これに対して、地震時等には、第１縦フレーム部４、横フレーム部５及び第２縦フレーム部６（図３等参照）で構成されるフレーム構造体１００、並びに、サッシ枠３に、外壁部１（図１参照）の面内方向（厚み方向Ａと直交する方向Ｃ）において変形（以下、単に「面内変形」と記載する。）が生じる。より具体的に、サッシ枠３の外周部分であって、縦サッシ枠部１１と横サッシ枠部１２との接合部分が外側に開くような面内変形が生じる。第１縦フレーム部４は、このようなサッシ枠３の面内変形時に、横フレーム部５に対して、縦方向としての鉛直方向に移動可能である。そのため、フレーム構造体１００及びサッシ枠３が面内変形すると、図４に実線で示すように、第１縦フレーム部４の下端部は、横フレーム部５に支持されている状態（図４の二点鎖線の状態）から、横フレーム部５に対して縦方向としての鉛直方向に移動し、横フレーム部５から浮き上がる状態になる。
【００５５】
このように、第１縦フレーム部４を、地震時等において、横フレーム部５に対して縦方向に移動可能な構成とすることにより、フレーム構造体１００及びサッシ枠３が面内変形する際に、第１縦フレーム部４が縦サッシ枠部１１に取り付けられている構成であっても、縦サッシ枠部１１により第１縦フレーム部４が破損することを抑制することができる。以下、この詳細を説明する。
【００５６】
図１０は、比較例としてのサッシユニット９００について、図４と同様の位置を示す図である。図１０に示すように、比較例としてのサッシユニット９００は、サッシ枠９０３と、縦フレーム部９０４と、横フレーム部９０５と、を備える。サッシ枠９０３は、縦サッシ枠部９１１と、横サッシ枠部９１２と、を備える。図１０（ａ）は、地震時等ではない通常時におけるサッシユニット９００についての、縦フレーム部９０４の鉛直方向の下側の端部近傍を示している。また、図１０（ｂ）は、地震時等におけるサッシユニット９００についての、縦フレーム部９０４の鉛直方向の下側の端部近傍を示している。
【００５７】
図１０に示すサッシユニット９００では、縦フレーム部９０４の下端部が、横フレーム部９０５に対して、ねじ又はビス等の締結部材９０８ａにより締結されている。この点が、図４に示すサッシユニット２００と相違する点である。つまり、図１０に示す縦フレーム部９０４は、横フレーム部９０５に対して縦方向に移動できない状態で固定されている。そのため、縦フレーム部９０４は、通常時（図１０（ａ）参照）及び地震時（図１０（ｂ）参照）の両方において、横フレーム部９０５に支持された状態が維持される。
【００５８】
ここで、縦フレーム部９０４は、サッシ枠９０３の縦サッシ枠部９１１に取り付けられている。より具体的に、縦フレーム部９０４は、ねじ又はビス等の締結部材９０８ｂにより、縦サッシ枠部９１１に対して締結されている。そのため、図１０（ｂ）に示すように、サッシ枠９０３、縦フレーム部９０４及び横フレーム部９０５が面内変形すると、サッシ枠９０３の縦サッシ枠部９１１と縦フレーム部９０４とは共に、横フレーム部９０５に対して水平方向に変位しようとする（白抜き矢印Ｐ１参照）。しかしながら、縦サッシ枠部９１１の下端部は、横サッシ枠部９１２により、白抜き矢印Ｐ１方向への変形が阻害される。更に、縦サッシ枠部９１１の下端部には、隣接する横サッシ枠部９１２の端面９１２ａのうち鉛直方向の上端部の位置を回動支点Ｏとして、矢印Ｐ２方向にモーメントが作用する。すなわち、図１０に示す比較例としてのサッシユニット９００では、サッシ枠９０３、縦フレーム部９０４及び横フレーム部９０５が面内変形すると、縦サッシ枠部９１１の変形が横サッシ枠部９１２に阻害され、縦サッシ枠部９１１が図１０（ｂ）に実線で示す姿勢に変形しようとする結果、締結部材９０８ｂにより締結されている縦フレーム部９０４を縦方向としての鉛直方向の上方に持ち上げるような力が作用する。しかしながら、縦フレーム部９０４は、横フレーム部９０５に締結部材９０８ａにより固定されているため、縦フレーム部９０４及び縦サッシ枠部９１１の少なくとも一方が破損するおそれがある。なお、図１０（ｂ）に実線で示す縦サッシ枠部９１１は、実際に変形した姿勢を示すものではない。実際は、締結部材９０８ｂの位置は変化しないため、縦サッシ枠部９１１が図１０（ａ）に示す姿勢から図１０（ｂ）に示す姿勢に変化した場合、縦フレーム部９０４及び縦サッシ枠部９１１の少なくとも一方は破損した状態となる。
【００５９】
これに対して、図４に示すサッシユニット２００では、第１縦フレーム部４の下端部が、横フレーム部５に対して、ねじやビス等の締結部材により固定されていない。そのため、縦サッシ枠部１１から、縦サッシ枠部１１と締結部材８ｂにより締結されている第１縦フレーム部４に対して、縦方向としての鉛直方向の上方に持ち上げるような力が作用しても、第１縦フレーム部４が、横フレーム部５に対して、縦方向としての鉛直方向の上方に移動し、力を逃がすことができる。つまり、第１縦フレーム部４及び縦サッシ枠部１１の少なくとも一方の破損を抑制することができる。
【００６０】
より具体的に、図４の実線に示すように、サッシ枠３、第１縦フレーム部４及び横フレーム部５が面内変形する際に、縦サッシ枠部１１の下端部は、横サッシ枠部１２により、白抜き矢印Ｐ１方向への変形が阻害される。更に、縦サッシ枠部１１の下端部には、隣接する横サッシ枠部１２の本体部１２ａの端面１２ａ１のうち鉛直方向の上端部の位置を回動支点Ｏとして、矢印Ｐ２方向にモーメントが作用する。すなわち、図４に示すサッシユニット２００においても、上述した図１０に示す比較例としてのサッシユニット９００と同様、サッシ枠３、第１縦フレーム部４及び横フレーム部５の面内変形時に、縦サッシ枠部１１から、縦サッシ枠部１１と締結部材８ｂにより締結されている第１縦フレーム部４に対して、鉛直方向の上方に持ち上げる力が作用する。しかしながら、上述したように、第１縦フレーム部４の下端部が、横フレーム部５に対して、ねじやビス等の締結部材により固定されていない。そのため、第１縦フレーム部４は、縦サッシ枠部１１からの力によって、横フレーム部５から浮き上がるように、縦方向としての鉛直方向の上方に移動する。これにより、第１縦フレーム部４及び縦サッシ枠部１１の少なくとも一方の破損を抑制することができる。
【００６１】
なお、本実施形態の第１縦フレーム部４では、その下端部が横フレーム部５に固定されておらず、縦方向としての鉛直方向に移動可能に支持されており、その上端部は、別の横フレーム部５にねじやビス等の締結部材により固定されている。但し、下端部が横フレーム部５に固定されており、上端部が別の横フレーム部に固定されていない第１縦フレーム部としてもよい。更には、周囲の部材により面外方向（厚み方向Ａと同じ方向）の移動が規制されている場合などは、下端部及び上端部の両方が、横フレーム部５に対して固定されていない第１縦フレーム部とすることもできる。
【００６２】
より具体的には、図２、図３に示すように、本実施形態の第１縦フレーム部４の底板部２１及び第２側板部２３は、２つの横フレーム部５の第１水平板部３２の間に挟まれており、第１縦フレーム部４の底板部２１及び第２側板部２３の下端面が、下方に位置する横フレーム部５の第１水平板部３２により、鉛直方向下方から支持されている。
【００６３】
また、図２、図３に示すように、上側の横フレーム部５の取付面５ａ、及び、第１縦フレーム部４の第１側板部２２の上側の突出部２２ａ、には挿通孔が形成されている。第１縦フレーム部４の第１側板部２２の上側の突出部２２ａを、上側の横フレーム部５の取付面５ａに当接させた状態で、突出部２２ａの挿通孔と取付面５ａの挿通孔とに、ねじやビス等の締結部材８ａを挿通し、突出部２２ａ及び取付面５ａを締結することで、第１縦フレーム部４の上端部を、上側の横フレーム部５に直接的に取り付けることができる。
【００６４】
これに対して、下側の横フレーム部５の取付面５ａ、及び、第１縦フレーム部４の第１側板部２２の下側の突出部２２ａは、ねじやビス等の締結部材８ａにより締結されていない。そのため、上述したように、第１縦フレーム部４の下端部は、下側の横フレーム部５に対して相対的に、縦方向としての鉛直方向の上側に移動可能である。
【００６５】
なお、本実施形態のフレーム構造体１００は２つの第１縦フレーム部４を備えるが、横フレーム部５との取り付け構成は同様である。
【００６６】
また、第１縦フレーム部４は、縦サッシ枠部１１に取り付けられており、かつ、通常時には横フレーム部５に支持されており、かつ、サッシ枠３の面内変形時には横フレーム部５に対して縦方向に移動可能である、構成であれば、特に限定されるものではない。そのため、第１縦フレーム部４の代わりに、図５に示すような変形例としての第１縦フレーム部としてもよい。
【００６７】
図５（ａ）は１つの変形例としての第１縦フレーム部３０４を示す図である。図５（ａ）に示す第１縦フレーム部３０４では、底板部３２１の下端から、第１側板部３２２及び第２側板部３２３よりも下方に突出する突出部３２１ａが設けられている。また、図５（ａ）に示すように、第１縦フレーム部３０４を用いる場合には、下側の横フレーム部３０５の第１水平板部３３２は、突出部３２１ａが挿通される挿通孔３３２ａを有する構成とする。つまり、第１縦フレーム部３０４は、突出部３２１ａを挿通孔３３２ａに挿通するようにして、横フレーム部３０５に取り付けられる。
【００６８】
図５（ａ）に示す第１縦フレーム部３０４及び横フレーム部３０５を用いることにより、第１縦フレーム部３０４は、上述の第１縦フレーム部４と同様に縦サッシ枠部１１（図２等参照）に取り付けられており、かつ、通常時には横フレーム部３０５に支持されており、かつ、サッシ枠３（図２等参照）の面内変形時には横フレーム部３０５に対して縦方向に移動可能な構成、を実現できる。なお、第１縦フレーム部３０４の底板部３２１、第１側板部３２２及び第２側板部３２３は、突出部３２１ａが挿通孔３３２ａに挿通された状態で、横フレーム部３０５の第１水平板部３３２に当接し、下方から支持されている。また、サッシ枠３（図２等参照）の面内変形時には、突出部３２１ａが挿通孔３３２ａから抜けるようにして、横フレーム部３０５に対して縦方向に移動可能である。
【００６９】
図５（ｂ）は別の変形例としての第１縦フレーム部４０４を示す図である。図５（ｂ）に示すように、横フレーム部５の取付面５ａ、及び、第１側板部４２２の下側の突出部４２２ａ、には挿通孔が形成されている。第１側板部４２２の突出部４２２ａを、横フレーム部５の取付面５ａに当接させた状態で、突出部４２２ａの挿通孔と取付面５ａの挿通孔とに、ねじやビス等の締結部材４０８ａを挿通し、突出部４２２ａ及び取付面５ａを締結することで、第１縦フレーム部４０４を、横フレーム部５に直接的に取り付けることができる。図５（ｂ）では、第１側板部４２２の下側の突出部４２２ａに設けられた挿通孔が、縦方向に延在する長孔４２２ｂにより形成されている。
【００７０】
図５（ｂ）に示す第１縦フレーム部４０４及び横フレーム部５を用いることにより、第１縦フレーム部４０４は、縦サッシ枠部１１（図２等参照）に取り付けられており、かつ、通常時には横フレーム部５に支持されており、かつ、サッシ枠３（図２等参照）の面内変形時には横フレーム部５に対して縦方向に移動可能な構成、を実現できる。なお、第１縦フレーム部４０４は、底板部４２１及び第２側板部４２３の下端面が第１水平板部３２に当接することで、横フレーム部５により下方から支持されている。また、第１側板部４２２の突出部４２２ａに形成されている挿通孔が長孔４２２ｂにより形成されているため、サッシ枠３（図２等参照）の面内変形時には、第１縦フレーム部４０４は、横フレーム部５に対して縦方向に移動可能である。
【００７１】
再び図１〜図４に示すサッシユニット２００について説明する。上述したように、サッシ枠３の横サッシ枠部１２は、横フレーム部５に対して、ねじやビス等の締結部材８ｄを用いて、固定されているが、横サッシ枠部１２を、横フレーム部５に支持されていると共に、サッシ枠３の面内変形時に、横フレーム部５に対して縦方向に移動可能な構成とすることが好ましい。このようにすれば、上述したサッシ枠３の面内変形時（図４参照）において、横サッシ枠部１２が横フレーム部５から浮き上がるように移動して、力を逃がすことができるため、第１縦フレーム部４及び縦サッシ枠部１１の少なくとも一方の破損を、より抑制することができる。
【００７２】
本実施形態の横サッシ枠部１２は、本体部１２ａから突出する突出板部１２ｃを第２鉛直板部３３に対して締結部材８ｄにより締結することで、横フレーム部５に固定されているが、例えば、横サッシ枠部１２を横フレーム部５に対して固定しない構成とすることにより、サッシ枠３の面内変形時に横フレーム部５に対して縦方向に移動可能な横サッシ枠部とすることができる。つまり、サッシ枠３の面内変形時に、縦フレーム部４が横フレーム部５に対して縦方向に移動可能であることに加えて、横サッシ枠部が横フレーム部５に対して縦方向に移動可能な構成とすることができる。
【００７３】
図６は、サッシ枠３の面内変形時（図４参照）に、横フレーム部５に対して縦方向に移動可能な横サッシ枠部５１２の一例を示す図である。横サッシ枠部５１２は、横フレーム部５に対して締結部材により固定されていない。但し、横フレーム部５に対する面外方向としての厚み方向Ａでの移動・変形を抑制するため、図６に示す横サッシ枠部５１２は、本体部５１２ａから突設されている２つの突出板部５１２ｂ及び５１２ｃを備えている。２つの突出板部５１２ｂ及び５１２ｃは、厚み方向Ａにおいて横フレーム部５を挟む位置に配置されている。そのため、図６に示す横サッシ枠部５１２は、横フレーム部５に対して縦方向としての鉛直方向に移動可能である一方で、厚み方向Ａへの移動が横フレーム部５により規制されている。このように、図６に示す２つの突出板部５１２ｂ及び５１２ｃのような、横サッシ枠部５１２の面外方向における移動・変形を規制する規制部を設けることが好ましい。規制部を設けることで、地震時などではない通常時におけるサッシユニットの構造安定性を高めることができる。
【００７４】
なお、図６に示す例では、横サッシ枠部５１２の２つの突出板部５１２ｂ及び５１２ｃが、厚み方向Ａにおいて、横フレーム部５の第１鉛直板部３１及び第２鉛直板部３３を挟み込む構成であるが、横サッシ枠部の横フレーム部に対する厚み方向Ａへの移動・変形が規制できる構成は、図６に示す横サッシ枠部５１２及び横フレーム部５の構成に限られるものではない。
【００７５】
図７、図８は、横サッシ枠部が横フレーム部に対する厚み方向Ａへの移動・変形を規制する別の例を示す図である。具体的に、図７（ａ）に示す横サッシ枠部６１２は、下方に開口する凹部６１２ｄが形成されている本体部６１２ａと、この本体部６１２ａから突設されている２つの突出板部６１２ｂ及び６１２ｃと、を備えている。
【００７６】
図７（ｂ）は図７（ａ）における横フレーム部６０５を示す図である。図７（ａ）、図７（ｂ）に示す横フレーム部６０５は、上述した横フレーム部５と比較して、第１水平板部の構成が相違するが、その他の構成は同様である。図７に示す横フレーム部６０５の第１水平板部６３２には、横サッシ枠部６１２の本体部６１２ａの凹部６１２ｄに入り込む板状の突出部６３２ａが形成されている。この板状の突出部６３２ａは、第１水平板部６３２の一部をフラップ状に折り曲げることで形成されており、第１水平板部６３２のうち板状の突出部６３２ａと隣接する位置には、貫通孔６３２ｂが形成されている。
【００７７】
図７（ａ）に示すように、横サッシ枠部６１２の突出板部６１２ｃは、横フレーム部６０５の第２鉛直板部３３の屋外側の面と当接している。また、図７（ａ）に示すように、横サッシ枠部６１２の突出板部６１２ｂは、横フレーム部６０５の第１水平板部６３２に沿って水平方向に延在する基端板部６１２ｂ１と、この基端板部６１２ｂ１に連続し、鉛直方向の下方に延在する先端板部６１２ｂ２と、を備える。この突出板部６１２ｂの先端板部６１２ｂ２は、横フレーム部６０５の第１鉛直板部３１の屋内側の面と当接している。更に、図７（ａ）に示すように、横サッシ枠部６１２の本体部６１２ａの凹部６１２ｄの内壁は、横フレーム部６０５の突出部６３２ａに屋内側の面と当接している。このように、図７に示す横サッシ枠部６１２は、突出部６３２ａ及び第１鉛直板部３１により、屋外側への移動・変形が規制され、第２鉛直板部３３により、屋内側への移動・変形が規制されている。図７に横サッシ枠部６１２及び横フレーム部６０５の構成では、上述の３箇所で厚み方向Ａの移動・変形を規制するため、２箇所で厚み方向Ａの移動・変形を規制する図６に示す構成と比較して、より確実に、横サッシ枠部６１２の横フレーム部６０５に対する厚み方向Ａの移動・変形を抑制することができる。
【００７８】
更に、図８（ａ）に示す横サッシ枠部７１２は、下方に開口する凹部７１２ｄが形成されている本体部７１２ａと、この本体部７１２ａから突設されている１つの突出板部７１２ｃと、を備えている。
【００７９】
図８（ｂ）は図８（ａ）における横フレーム部７０５を示す図である。図８（ｂ）に示す横フレーム部７０５は、上述した横フレーム部５と比較して、第１水平板部の構成が相違するが、その他の構成は同様である。図８に示す横フレーム部７０５の第１水平板部７３２には、横サッシ枠部７１２の本体部７１２ａの凹部７１２ｄに入り込むブロック状の突出部７３２ａが形成されている。ブロック状の突出部７３２ａは、例えば溶接等することにより、第１水平板部７３２と一体化されている。
【００８０】
図８（ａ）に示すように、横サッシ枠部７１２の突出板部７１２ｃは、横フレーム部７０５の第２鉛直板部３３の屋外側の面と当接している。また、図８（ａ）に示すように、横サッシ枠部７１２の本体部７１２ａの凹部７１２ｄの内壁は、横フレーム部７０５のブロック状の突出部７３２ａに屋内側の面と当接している。このように、図８に示す横サッシ枠部７１２は、ブロック状の突出部７３２ａにより、屋外側への移動・変形が規制され、第２鉛直板部３３により、屋内側への移動・変形が規制されている。図８に示す横フレーム部７０５のブロック状の突出部７３２ａは、図７に示す板状の突出部６３２ａよりも剛性が高く、変形し難い。そのため、図８に示す横フレーム部７０５とすることで、横サッシ枠部７１２を１つのみの突出板部７１２ｃを有する構成とすることができ、図７に示す横サッシ枠部６１２よりも厚み方向Ａの厚みが薄い横サッシ枠部７１２を実現し易くなる。
【００８１】
本発明に係るサッシユニット及びフレーム構造体は、上述した実施形態及び変形例に示す構成に限られるものではなく、特許請求の範囲に記載された発明の要旨を逸脱しない範囲で、種々の変形・変更が可能である。例えば、上述の実施形態及び変形例で示す第１縦フレーム部及び縦サッシ枠部は、ねじやビス等の締結部材により相対移動ができないように固定されているが、第１縦フレーム部及び縦サッシ枠部を相対的に縦方向に移動可能に取り付ける構成としてもよい。図９は、第１縦フレーム部８０４と、縦サッシ枠部８１１と、が相対的に縦方向に移動可能な状態で、ねじやビス等の締結部材８０８ｂを利用して取り付けられている構成を示す。図９に示すように、縦サッシ枠部８１１には、縦方向に延在する長孔８１１ｄが形成されており、この長孔８１１ｄを利用することで、第１縦フレーム部８０４及び縦サッシ枠部８１１は、ねじやビス等の締結部材８０８ｂにより取り付けられている。
【００８２】
図９では、通常時の縦サッシ枠部８１１及び第１縦フレーム部８０４の位置を二点鎖線で示し、サッシ枠８０３の面内変形時の縦サッシ枠部８１１及び第１縦フレーム部８０４の位置を実線で示している。図９に実線で示すように、サッシ枠８０３が面内変形すると、第１縦フレーム部８０４が横フレーム部８０５に固定されていないため、第１縦フレーム部８０４は横フレーム部８０５に対して縦方向に移動する。更に、図９に示す例では、第１縦フレーム部８０４及び縦サッシ枠部８１１も相対的に縦方向に移動可能に取り付けられているため、サッシ枠８０３の面内変形時に横サッシ枠部１２から作用する力を、第１縦フレーム部８０４及び縦サッシ枠部８１１が相対的に移動することによっても逃がすことができる。したがって、図９の構成によれば、第１縦フレーム部８０４及び縦サッシ枠部８１１の少なくとも一方の破損を、より一層、抑制することができる。
【産業上の利用可能性】
【００８３】
本発明はサッシユニット及びフレーム構造体に関する。
【符号の説明】
【００８４】
１：外壁部
１ａ：外装材
１ｂ：断熱材
１ｃ：内装材
２：開口部
３、８０３：サッシ枠
４、３０４、４０４，８０４：第１縦フレーム部
４ａ：取付面
５、３０５、６０５、７０５、８０５：横フレーム部
５ａ：取付面
６：第２縦フレーム部
６ａ：第１躯体取付部
６ｂ：第２躯体取付部
８ａ、８ｂ、８ｄ、４０８ａ、８０８ｂ：締結部材
９：断熱材
１０：建具
１０ａ：ガラス板
１０ｂ：框
１１、８１１：縦サッシ枠部
１１ａ：本体部
１１ｂ：断熱部
１１ｃ：突出板部
１２、５１２、６１２、７１２：横サッシ枠部
１２ａ、５１２ａ、６１２ａ、７１２ａ：本体部
１２ａ１：本体部の端面
１２ｃ、
５１２ｂ、５１２ｃ、６１２ｂ、６１２ｃ、７１２ｃ：突出板部
２１、３２１、４２１：底板部
２２、３２２、４２２：第１側板部
２２ａ、４２２ａ：突出部
２３、３２３、４２３：第２側板部
３１：第１鉛直板部
３２、３３２、６３２、７３２：第１水平板部
３３：第２鉛直板部
３４：先端板部
３５：第２水平板部
３６：基端板部
４１：正面板部
４２：側面板部
４３：後端板部
９１：内装枠
１００：フレーム構造体
２００：サッシユニット
３２１ａ：突出部
３３２ａ、６３２ａ、７３２ａ：挿通孔
４２２ｂ：長孔
６１２ｂ１：基端板部
６１２ｂ２：先端板部
６１２ｄ、７１２ｄ：凹部
６３２ｂ：貫通孔
８１１ｄ：長孔
９００：サッシユニット
９０３：サッシ枠
９０４：縦フレーム部
９０５：横フレーム部
９０８ａ、９０８ｂ：締結部材
９１１：縦サッシ枠部
９１２：横サッシ枠部
９１２ａ：端面
Ａ：外壁部の厚み方向
Ｂ：横フレーム部の幅方向
Ｃ：体壁部の厚み方向と直交する方向（面内方向）
Ｏ：回動支点
【図１】
2019173387.tif 000003
【図２】
2019173387.tif 000004
【図３】
2019173387.tif 000005
【図４】
2019173387.tif 000006
【図５】
2019173387.tif 000007
【図６】
2019173387.tif 000008
【図７】
2019173387.tif 000009
【図８】
2019173387.tif 000010
【図９】
2019173387.tif 000011
【図１０】
2019173387.tif 000012